(57)【要約】【課題】野生動物を引き寄せることを防ぎ、ゴミを漁ることが出来ないようにしつつ、人が容易に扉を開けてゴミを投入したり回収が出来るゴミ箱（ゴミステーション）の提供を目的とする。【解決手段】ゴミを投入あるいは回収するための扉等の開閉部を備えたボックス型のゴミ箱において、開閉部のロック部に人が開閉操作出来るが野生動物が開けられないように、カバー部材を取り付けた。【選択図】  図４
2004292097.tif 000002
【特許請求の範囲】
【請求項１】
ゴミを投入あるいは回収するための扉等の開閉部を備えたボックス型のゴミ箱において、開閉部のロック部に人が開閉操作出来るが野生動物が開けられないように、カバー部材を取り付けたことを特徴とする野生動物対策ゴミステーション。
【請求項２】
請求項１記載のカバー部材が、そのカバー部材の上面板とゴミ箱の開閉部のロック部との間に人の指先は入るが動物の手足が入らない隙間を形成したものであることを特徴とする野生動物対策ゴミステーション。
【発明の詳細な説明】
【０００１】
【発明の属する技術分野】
本発明は、野生動物がゴミを漁ることが出来ないゴミ箱の構造に関する。
【０００２】
【従来の技術】
野外には各種ゴミ箱が設置されているが、ゴミを投入しやすいように開口部が開いたままのゴミ箱が殆どである。
【０００３】
また最近は、カラス、犬、猫等がゴミ箱を漁らないように投入扉の付いたボックス型のゴミ箱も設置されている。
【０００４】
【発明が解決しようとする課題】
クマ等の野生動物の生息地と人の生活圏が接している地域、例えば北海道の温泉地、軽井沢の別荘地等では野生のクマ等がゴミ箱のゴミを漁りに出没する被害が発生している。
【０００５】
ボックス型のゴミ箱においては、ゴミの投入部に扉を付けることで、犬、猫、タヌキ、キツネ、イタチ、カラス等のゴミ荒らしはある程度防ぐことができるが、クマに至っては学習能力が高く、扉等を開くようになる場合が多かった。
特に、クマの場合には力も強大でゴミ箱が破壊される被害も発生している。
【０００６】
本発明は、上記の問題が発生している背景に鑑みて、野生動物を引き寄せることを防ぎ、ゴミを漁ることが出来ないようにしつつ、人が容易に扉を開けてゴミを投入したり回収が出来るゴミ箱（ゴミステーション）の提供を目的とする。
【０００７】
【課題を解決するための手段】
本発明の技術的要旨は、ゴミを投入あるいは回収するための扉等の開閉部を備えたボックス型のゴミ箱において、開閉部のロック部に人が開閉操作出来るが野生動物が開けられないように、カバー部材を取り付けたゴミステーションとした点にある。
【０００８】
ボックス型のゴミステーションの場合には、ゴミ箱から発生する臭いをある程度防ぐ効果があり、野生動物の誘引を防止するように作用する。
ここでボックス型のゴミ箱とは、ゴミ投入口が開口された状態になっていない扉や蓋付きのゴミ箱をいう。
また、ゴミ箱の投入扉又は回収扉等に簡単にロック解除出来るレバー式又はプッシュボタン式のロック手段を備えることにより、人がゴミを投入したり回収するのが容易である。
しかし、このような簡単にロック解除出来るロック手段であれば、クマ等の野生動物も扉を開けることが出来る。
そこで、野生動物が開けられないようにロック部にカバー部材を取り付けたものである。
【０００９】
このようなカバー部材の構造としては、カバー部材の上面板（上面部）とゴミ箱の開閉部のロック部（ロックの解除部）との間に人の指先は入るが動物の手足が入らない隙間を形成したものが構造が簡単で良い。
ここで動物の手足が入らない隙間とは、例え、動物の指先がこの隙間に入ってもカバー開口部縁に指や手の関節が当たり、ロックの解除部までは届かないことも含まれる。
【００１０】
【発明の実施の形態】
本発明を適用した望ましい実施の形態を以下図面に基づいて説明する。
図１にボックス型のゴミステーションの例を示す。
（イ）が正面から見た図で（ロ）が側面図である。
この図１に示したゴミステーションの例は、ゴミ箱１とゴミ箱１１を連結したゴミステーションになっている。
このように、複数のゴミ箱を連結出来る構造にしておくと、分別回収が可能であり、また、連結部の仕切りを着脱式にすると容量の調整も出来る。
従って、パーツ交換が可能になるように組立式が良い。
【００１１】
ゴミ箱にはゴミ投入用の投入扉２が蝶番等のヒンジ類にてゴミ箱本体に開閉自在に取り付けられている。
この投入扉には、レバー式のロック装置４とカバー部材３が備えられている。
【００１２】
カバー部材３はその部品図を図２に示すように、扉本体に取り付けるつば３３から、奥壁３２及び左右の側壁３６を立ち上げ上面板３１にて上面部を形成し、人の指先が入る程度のカバー開口部３４が形成されている。
このカバー開口部は、クマが操作出来ない程度の大きさでよい。
図２に示す例では、奥側３２の高さより低くなるように上面板に傾斜部を設けて開口部の隙間を小さくすることで、人の操作性を高く維持しつつ、野生動物対策が図られている。
【００１３】
次に、扉の開閉操作について説明する。
図４にロック部の拡大図を示し、図５に操作手順を示す。
図５（イ）に示すように、カバー部材３の開口部３４から指先を入れ、図（ロ）に示すように、レバー式のロック装置４のレバー４１に指先を引っかけ、上方に上げるとロック爪先４２が後退し、図（ハ）に示すように扉を上方に開くことが出来る。
このように、レバー４１の上部に人の指先が入るが程度の狭い開口部を有するカバー部材３を取り付けたことにより、野生動物は扉を開けることができない。
【００１４】
ゴミ箱１、１１には、図１１に示すようにゴミ投入扉２の他にゴミ箱の前面にゴミ回収扉５が備えられていて、ゴミの回収が容易になっている。
この回収扉も蝶番等のヒンジ類５ａにて開閉可能になっている。
なお、図１に示した例は、開き扉方式であるが、スライド式の扉でも良い。
【００１５】
このゴミ回収扉の例は、プッシュボタンによる解除式のロック手段が取り付けられているタイプである。
その拡大図を図６に示す。
開閉ハンドル式のロック装置７の開閉ハンドル７１のロックを解除するロック解除ボタン７２の上部に、カバー部材６が取り付けられている。
【００１６】
カバー部材６の部品図を図３に示す。
カバー部材６の機能を図７の操作手順に従って以下説明する。
ロック装置７のロック解除ボタン７２の上に、カバー部材の下側から人の指先が入る程度の開口部６５を形成するようにしてカバー部材６が取り付けられている。
なおカバー部材６は、図３に示す取付孔６４等を介して扉に取り付けられ、扉の取り付け部から立ち上げ片６２で上面板（上面部）６１を形成し、上部側には動物の指が入らないように隙間塞ぎ部６３が形成され、下側に設けた開口部６５のみから人の指先が入るようになっている。
【００１７】
このカバー部材６の開口部６５から指先を入れ、ロック解除ボタンをプッシュすると開閉ハンドル７１が起き上がる。
この開閉ハンドルを持って扉の開閉操作を行い、このハンドルを元の位置に戻すと扉がロックされる。
【００１８】
【発明の効果】
本発明においては、ボックス型のゴミ箱により野生動物の誘いそのものを低減し、ゴミの投入扉や回収扉に開閉ロック手段を備え、このロック手段の解除操作部に人の指先は入るが、動物では操作出来ない程度の狭い開口部を備えたカバー部材を取り付けたことにより、野生動物がゴミを漁るのを防ぐことが出来る。
また、人の開閉操作には障害とならないので、ゴミを投入したり回収するのが容易である。
【図面の簡単な説明】
【図１】本発明に係る野生動物対策を施したゴミステーションの例を示す。
【図２】ゴミ投入扉のロック部のカバー部材を示す。
【図３】ゴミ回収扉のロック部のカバー部材を示す。
【図４】ゴミ投入扉部の拡大図を示す。
【図５】ゴミ投入扉の開く手順を示す。
【図６】ゴミ回収扉の拡大図を示す。
【図７】ゴミ回収扉の開く手順を示す。
【符号の説明】
１、１１  ゴミ箱
２    ゴミ投入扉
３    投入扉のロック部カバー部材
４    ゴミ投入扉のロック装置
４１  ロック解除レバー
４２  ロック爪先
５    ゴミ回収扉
６    ゴミ回収扉のロック部カバー部材
７    ゴミ回収扉のロック装置
７１  ロックの開閉ハンドル
７２  ロック解除ボタン
【図１】
2004292097.tif 000003
【図２】
2004292097.tif 000004
【図３】
2004292097.tif 000005
【図４】
2004292097.tif 000006
【図５】
2004292097.tif 000007
【図６】
2004292097.tif 000008
【図７】
2004292097.tif 000009